(57)【要約】【課題】観光施設等の情報をユーザに確実に提供できるナビゲーション装置を提供する。【解決手段】地図上に移動体の現在位置マーク５を示した地図４を表示するカーナビゲーション装置１において、所定の観光エリアの位置と、所定の観光エリア内の観光施設とを記憶する観光施設データベース３１と、移動体が所定の観光エリアに進入したか否かを検出する制御部１０とを有し、移動体が所定の観光エリアに進入したことが制御部１０により検出されたときに、所定の観光エリア内の観光施設を地図４上に自動で表示する自動施設表示モードを備える。【選択図】図５
2009025675.tif 000002
【特許請求の範囲】
【請求項１】
地図上に移動体の現在位置を示した地図画面を表示するナビゲーション装置において、
所定の観光エリアの位置と、前記所定の観光エリア内の観光施設とを記憶する記憶手段と、
前記移動体が前記所定の観光エリアに進入したか否かを検出する検出手段とを有し、
前記移動体が前記所定の観光エリアに進入したことが前記検出手段によって検出されたときに、前記所定の観光エリア内の観光施設を前記地図上に自動で表示する自動施設表示モードを有する
ことを特徴とするナビゲーション装置。
【請求項２】
前記自動施設表示モードにおいては、前記移動体が前記観光エリアから外れたときに、前記所定の観光エリア内の観光施設の表示を自動で消す
ことを特徴とする請求項１に記載のナビゲーション装置。
【請求項３】
前記地図画面には、前記観光施設以外の施設が表示され、
前記自動施設表示モードにおいて、前記所定の観光エリア内の観光施設を前記地図上に自動で表示する際、観光施設以外の施設の前記地図上での表示を少なくする
ことを特徴とする請求項１又は２に記載のナビゲーション装置。
【請求項４】
前記自動施設表示モードにおいて表示されている観光施設を目的地又は経由地に設定する設定手段を備え、
前記設定手段によって前記観光施設が目的地又は経由地に設定された場合、前記観光施設以外の施設の表示を戻し、前記観光施設への経路案内を開始する
ことを特徴とする請求項３に記載のナビゲーション装置。
【請求項５】
前記自動施設表示モードにおいて表示されている観光施設を選択する選択手段を備え、
前記選択手段によって前記観光施設が選択された場合、選択された観光施設の周辺を拡大した拡大地図、及び、選択された観光施設の情報を表示すると共に、
前記拡大地図には、選択された観光施設から前記移動体の現在位置までの距離を示す情報を表示する
ことを特徴とする請求項１乃至４のいずれかに記載のナビゲーション装置。
【発明の詳細な説明】
【技術分野】
【０００１】
本発明は、目的地までの経路案内を行うナビゲーション装置に関する。
【背景技術】
【０００２】
従来、地図上に目的地までの経路を示し、経路案内するナビゲーション装置において、地図上に、目的地までの経路だけでなく、この経路の近傍に存在する観光施設等の施設を表示することにより、ユーザに有益な情報を提供するナビゲーション装置が知られている（例えば、特許文献１参照）。
【特許文献１】特開２００２−１４８０６９号公報
【発明の開示】
【発明が解決しようとする課題】
【０００３】
しかしながら、上記ナビゲーション装置は、目的地までの経路の確定後に、この経路に応じた観光施設等の情報を提供するものであり、例えば目的地を持たずにドライブを楽しむユーザが観光施設の近辺をドライブした場合に上記情報が提供されることはない。このため、従来は、ユーザの現在位置の近辺に存在する観光施設等であって、その存在を知っていれば訪れていた可能性のある観光施設等の情報が提供されないことがある。
本発明は、上述した事情に鑑みてなされたものであり、観光施設等の情報をユーザに確実に提供できるナビゲーション装置を提供することを目的とする。
【課題を解決するための手段】
【０００４】
上記目的を達成するために、本発明は、地図上に移動体の現在位置を示した地図画面を表示するナビゲーション装置において、所定の観光エリアの位置と、前記所定の観光エリア内の観光施設とを記憶する記憶手段と、前記移動体が前記所定の観光エリアに進入したか否かを検出する検出手段とを有し、前記移動体が前記所定の観光エリアに進入したことが前記検出手段によって検出されたときに、前記所定の観光エリア内の観光施設を前記地図上に自動で表示する自動施設表示モードを有することを特徴とする。
この構成によれば、自動施設表示モードにおいて、移動体が観光エリア内に進入したときに、自動で、観光施設が表示されるため、これら観光施設の情報をユーザに確実に提供することができる。
【０００５】
ここで、上記発明のナビゲーション装置において、前記自動施設表示モードにおいては、前記移動体が前記観光エリアから外れたときに、前記所定の観光エリア内の観光施設の表示を自動で消すようにしてもよい。
この構成によれば、自動施設表示モードにおいて、移動体が観光エリアから外れたときに、自動で、観光施設の表示が消されるため、観光施設の表示が必要のない観光エリア外において、地図画面の視認性が向上すると共に、ユーザの操作を介さずに観光施設の表示を消すため、操作性が向上する。
【０００６】
また、上記発明のナビゲーション装置において、前記地図画面には、前記観光施設以外の施設が表示され、前記自動施設表示モードにおいて、前記所定の観光エリア内の観光施設を前記地図上に自動で表示する際、観光施設以外の施設の前記地図上での表示を少なくしてもよい。
この構成によれば、自動施設表示モードにおいて、移動体が観光エリア内に進入し、観光施設を地図画面上に表示する際、観光施設以外の施設の表示が少なくなるため、地図画面上において観光施設を目立たせて表示することができ、視認性の向上を図ることができる。
【０００７】
また、上記発明のナビゲーション装置において、前記自動施設表示モードにおいて表示されている観光施設を目的地又は経由地に設定する設定手段を備え、前記設定手段によって前記観光施設が目的地又は経由地に設定された場合、前記観光施設以外の施設の表示を戻し、前記観光施設への経路案内を開始するようにしてもよい。
この構成によれば、自動施設表示モードにおいて、例えば、表示された観光施設にユーザが行きたいと考えたときに、設定手段により、簡易に、観光施設を目的地又は経由地に設定し、経路案内を開始することができるため、操作性の向上を図ることができる。
また、経路案内時は、観光施設以外の施設の表示を戻すことにより、これら施設を経路上の「目印」として利用することができる。
【０００８】
また、上記発明のナビゲーション装置において、前記自動施設表示モードにおいて表示されている観光施設を選択する選択手段を備え、前記選択手段によって前記観光施設が選択された場合、選択された観光施設の周辺を拡大した拡大地図、及び、選択された観光施設の情報を表示すると共に、前記拡大地図には、選択された観光施設から前記移動体の現在位置までの距離を示す情報を表示するようにしてもよい。
この構成によれば、選択手段によって観光施設を選択することにより、観光施設の情報を容易に取得することができ、そして、ユーザはこの観光施設の情報を参照し、その観光施設を訪れるか否かを判断できるためユーザの利便性を向上することができる。同様に、拡大地図に、選択した観光施設から前記移動体の現在位置までの距離を示す情報が記載されており、ユーザは、この情報を、観光施設を訪れるか否かの判断材料として利用することができるため、さらにユーザの利便性の向上を図ることができる。
【発明の効果】
【０００９】
本発明によれば、自動施設表示モードにおいて、移動体が観光エリア内に進入したときに、自動で、観光施設が表示されるため、これら観光施設の情報をユーザに確実に提供することができる。
【発明を実施するための最良の形態】
【００１０】
以下、図面を参照して本発明の実施形態を詳述する。なお、以下の説明では、ナビゲーション装置の一態様として、移動体としての車両に搭載されるカーナビゲーション装置１を例示する。
【００１１】
図１は、本実施形態に係るカーナビゲーション装置１の外観を示す正面図である。カーナビゲーション装置１は、車両に取り付けられる装置本体１Ａと、この装置本体１Ａの正面に嵌め込まれた表示パネル２と、この表示パネル２の周囲に配設された複数の操作ボタン３とを有している。
表示パネル２には、車両の現在位置周辺の地図４と、車両の現在位置を示す現在地マーク５とが重ねて表示され、さらに、地図４には、各種の施設を図形や記号、絵柄で示すランドマーク６が重ねて表示されている。この種のランドマーク６には、例えば都道府県庁、役所、警察署、消防署、学校、公園、美術館、博物館等の公共施設、ホテルなどの宿泊施設、駅、空港、港、インターチェンジ、信号機或いはトンネル等の交通設備、ガソリンスタンド、コンビニエンスストア、ファーストフード店或いはゴルフ場等の民間施設といったものがある。なお、これらのランドマーク６を名称によって地図４の上に示しても良いことは勿論である。
【００１２】
さらに、カーナビゲーション装置１に対して、目的地が入力指定されている場合には、上記地図４には、現在位置から目的地に至る経路が強調表示され経路案内が行われる。この経路案内中には、地図４による経路の表示と共に、音声による進行方向の案内も行われる。
【００１３】
図２は、カーナビゲーション装置１の機能的構成を示すブロック図である。
カーナビゲーション装置１は、各部を中枢的に制御する制御部１０と、車両の現在位置を検出する位置検出手段としてのＧＰＳユニット１１と、上記表示パネル２を備えた表示手段としての表示部１２と、上記複数の操作ボタン３を備えた操作手段としての操作部１３と、各種プログラムやデータを記憶する記憶手段としての記憶部１４と、ネットワークを介して外部サーバ等と通信する無線通信手段としての無線通信部１７とを有している。
【００１４】
制御部１０は、プログラムに従って演算処理するＣＰＵ２０や各種プログラム及びデータを格納するＲＯＭ２１、上記ＣＰＵ２０のワークエリアとして機能するＲＡＭ２２を有して構成され、さらに、この制御部１０は、クロック回路を内蔵し日時をカウントする日時カウント部２３を有している。
【００１５】
ＧＰＳユニット１１は、ＧＰＳアンテナ１１Ａを介してＧＰＳ衛星からのＧＰＳ電波を受信し、ＧＰＳ電波に重畳されたＧＰＳ信号から、車両の現在位置の経度及び緯度を示す現在地情報を演算により取得し制御部１０に出力する。
なお、ＧＰＳユニット１１に加えて、例えばジャイロセンサや車速パルスセンサ、加速度センサをカーナビゲーション装置１に設けて自立航法可能に構成しても良い。
【００１６】
表示部１２は、制御部１０の制御の下、上記地図４や、車両の現在地マーク５、目的地までの経路、各種ランドマーク６といった経路案内のための情報を表示する。なお、ＦＭ多重放送受信機や光／電波ビーコン受信機をカーナビゲーション装置１に設けてＶＩＣＳ情報を受信可能に構成し、このＶＩＣＳ情報を表示部１２に表示するようにしても良い。
【００１７】
操作部１３は、複数の上記操作ボタン３に加え、さらに、上記表示部１２の表示パネル２に重ねて配設されたタッチパネル２４を有し、ユーザが表示パネル２を指などで触れた場合、触れた箇所を示す信号が制御部１０に入力される。制御部１０は、かかる信号が入力されると、表示パネル２に表示されている各種ボタンの位置と対比して、どのボタンがタッチ操作されたかを特定する。また、制御部１０は、タッチ操作された箇所にボタンではなくランドマーク６が表示されている場合、タッチ操作によって当該ランドマーク６が選択されたとものと解釈する。
【００１８】
無線通信部１７は、例えばインターネット等のネットワークに接続され、このネットワーク上の外部サーバとデータ通信し、この外部サーバから各種情報を取得し制御部１０に出力する。
【００１９】
記憶部１４は、比較的大きなデータ格納領域を有する記録媒体を有するハードディスクドライブ装置、或いは、ＣＤ／ＤＶＤドライブ装置を有して構成されている。この記憶部１４には、経路案内のための制御プログラムのほか、上記地図４やランドマーク６といった経路案内に供される各種データを格納した経路案内データベース３０を有している。この経路案内データベース３０には、上記ランドマーク６が示す施設の経度、緯度を示す位置情報も含まれている。
また、記憶部１４には、上記経路案内データベース３０に加え、観光施設データベース３１、観光エリアデータベース３２を備えている。
【００２０】
観光施設データベース３１は、主として観光や行楽、見物を主目的として人が訪れる施設や場所（以下、これらを「観光施設」と言う）をデータベース化して記憶するものである。この観光施設の例としては、例えば、歴史的建造物、著名建造物、美術館、遊園地や動物園等の娯楽施設、景観スポット、観光地が該当し、さらに、これらの施設や景観スポットの周辺、或いは、観光地に存在するレストランが観光施設に含まれている。なお、観光施設の中に、ランドマーク６の施設と重複するものであっても良い事は勿論である。
【００２１】
図３は、観光施設データベース３１の構成を模式的に示す図である。
この図に示すように、観光施設データベース３１の一件のレコードには、施設フィールド４０と、位置フィールド４１と、アイコンフィールド４２と、所属観光エリアフィールド４３と、施設種別フィールド４４と、表示時期フィールド４５と、画像フィールド４６と、詳細情報フィールド４７とが含まれている。
【００２２】
施設フィールド４０は、観光施設の名称や通称等を格納する。
位置フィールド４１は、観光施設の位置を緯度・経度によって示す位置データを格納する。
アイコンフィールド４２は、観光施設を抽象化した図形や記号、絵柄である観光施設アイコン４２Ａ（図７参照）を示すアイコンデータを格納し、或いは、記憶部１４における観光施設アイコン４２Ａの格納場所を示すリンク情報を格納する。この観光施設アイコン４２Ａは、地図４に観光施設を表示する際に用いられる。
なお、この観光施設アイコン４２Ａは、上記ランドマーク６のデータと実質的に同じものであるが、観光施設を示す図形や記号、絵柄を、上記ランドマーク６と区別するために、「観光施設アイコン」と称する。また、観光施設と、ランドマーク６の施設が同じ場合には、この施設に対しては、ランドマーク６のデータがアイコンデータとして用いられる。
【００２３】
所属観光エリアフィールド４３は、観光施設が所属する観光エリアを格納するものである。この観光エリアは、上記観光施設を少なくとも１つ以上包含するエリアとして規定される。
具体的には、本実施形態では、上記観光施設の位置を中心とした所定の半径のエリアを上記観光エリアとして設定する。この所定の半径は、例えば上記観光施設の周辺（観光施設から所定距離以内）に存在するレストラン等の食事や休憩に適した飲食店の分布状況に合わせて設定され、周辺に飲食店が存在しない場合には、規定の最小半径が設定され、また、複数の飲食店が存在する場合には、それらのうちの少なくとも１つ以上を含むように半径が設定される。
【００２４】
このようにして設定した観光エリアに、他の観光施設が更に含まれる場合には、この観光施設を中心とした所定の半径の観光エリアと、先の観光エリアとの両方を合わせた１つの観光エリアとして設定し、また、複数の観光施設が密集するような場合でも、それぞれの観光エリアを合わせて１つの大きな観光エリアとして設定する。
なお、観光施設が、観光地などの比較的大きなエリアである場合には、そのエリアを含む市町村等の行政区画に準じて観光エリアを設定しても良い。この場合には、この行政区間の境界によって観光エリアが規定される。
【００２５】
以上のような観光エリアの情報は、観光エリアデータベース３２に格納されている。
図４は、上記観光エリアデータベース３２の構成を模式的に示す図である。
この図に示すように、観光エリアデータベース３２には、観光エリアごとにレコードが登録され、各レコードには、観光エリア名フィールド５０と、中心位置フィールド５１と、半径フィールド５２と、境界フィールド５３とが含まれている。
観光エリア名フィールド５０は、各観光エリアを識別する名称（例えば図３におけるエリアＡ、エリアＢ、・・・）、或いは、識別番号を格納する。
中心位置フィールド５１は、観光エリアの中心位置を緯度・経度によって示す中心位置データを格納する。
半径フィールド５２は、上記のようにして設定した観光エリアの半径を格納する。
境界フィールド５３は、行政区間を以って観光エリアを指定した場合に、当該行政区間の境界を示す経度・緯度を格納する。
【００２６】
再び前掲図３に戻り、施設種別フィールド４４は、観光施設が属するジャンル（カテゴリー）を格納する。本実施形態では、美術館、動物園、景観スポットと言った遊覧や観覧に適した観光施設を「見る」のカテゴリーに、遊園地や牧場、ゴルフ場等のアミューズメント施設やスポーツ施設を「遊ぶ」のカテゴリーに、レストラン等の食事や休憩に適した飲食店等の施設を「食べる」のカテゴリーに、また、学習塾等の学習のための施設を「学ぶ」のカテゴリーにそれぞれ分類している。そして、観光施設に対応するジャンル（カテゴリー）が施設種別フィールド４４に格納される。
【００２７】
表示時期フィールド４５は、観光施設を地図４に表示する時期を指定するものである。この表示時期フィールド４５は、観光施設を訪れるのに適した季節や時期を以って指定される。例えば、スキー場であれば冬季、プールであれば夏季が設定され、また、軽井沢等の避暑地や海の家であれば夏季、ゴルフ場や美術館、レストランであれば年間を通して表示する事を示す「年間」が設定される。さらに、桜で有名な公園であれば桜が満開となる時期が設定される。また、この季節や時期は、観光施設の利用可能な時期や営業期間を以って設定しても良い。なお、本実施形態では、記憶部１４に、季節とその季節が属する期間とが対応付けて記憶されたデータベース（例えば、「夏季」は「７月〜９月」、「冬季」は「１１月〜３月」等）が格納されており、制御部１０は、このデータベースを参照することにより、季節に応じた日付を取得することができる。
観光施設を訪れるのに適した季節や時期を表示時期フィールド４５に設定しておくことで、現在の季節や時期に適した観光施設だけを抽出して地図４に表示可能となり、また、不要と推定される観光施設の表示を減らすることができる。
【００２８】
画像フィールド４６は、その観光施設を紹介する写真等の画像を格納する。例えば観光施設が建物である場合には建物の外観写真が格納され、景観スポットである場合には風景写真が可能され、また、レストランである場合には外観写真や料理の写真が格納される。なお、写真以外でも、シンボルマーク等の画像であっても良い。
詳細情報フィールド４７は、観光施設の電話番号や住所等の観光施設に関する詳細な情報を主として文字情報として格納する。また、電話番号や住所の他、例えば、観光施設がレストランである場合には、おすすめのメニューや予算等、そのレストランを知る上で有益な情報が格納される。
【００２９】
次いで、上記のように構成されたカーナビゲーション装置１の動作について説明する。
本実施形態に係るカーナビゲーション装置１は、動作モードとして、ユーザの指定した目的地までの経路案内等を行う通常モードのほかに、車両が上記各観光エリアのいずれかのエリア内に位置するときに、その観光エリア内の観光施設を、地図上にアイコンによって表示し、車両が観光エリアから外れたときに上記アイコン表示をやめる自動施設表示モードを有しており、このモードがユーザによって選択可能な構成となっている。以下図４を参照して自動施設表示モード時におけるカーナビゲーション装置１の動作について詳述する。
【００３０】
図５は、カーナビゲーション装置１の動作を示すフローチャートである。なお、制御部１０は、動作モードとして、自動施設表示モードが選択されている場合にこの図に示す動作を行う。
自動施設表示モード実行時において、制御部１０は、車両の現在位置、及び、観光エリアデータベース３２を参照し、車両が上記各観光エリアのいずれかの観光エリア内に進入しているか否かを、絶えず、監視する（ステップＳＡ１）。
車両がいずれかの観光エリア内に進入しているとき（ステップＳＡ１：ＹＥＳ）（以下、車両が位置している観光エリアを「所在観光エリア」という）、制御部１０は、図８に示すように、地図４上のランドマーク６の表示を消した後（ステップＳＡ２）、後述する観光施設アイコン表示処理を実行することにより、その観光エリア内に存在する観光施設のうち所定の観光施設に係る観光施設アイコン４２Ａを、地図４上に表示する（ステップＳＡ３）。一方、車両がどの観光エリア内にも進入していないとき（ステップＳＡ１：ＮＯ）、制御部１０は、図１に示すように、地図４上にランドマーク６を表示すると共に、上記観光施設アイコン４２Ａの表示を消す（ステップＳＡ４）。このように、自動施設表示モードにおいて、カーナビゲーション装置１は、車両が観光エリアのいずれかの観光エリア内に進入しているか否かを絶えず監視し、車両が観光エリア内に進入たときに、自動で、ランドマーク６の表示を消すと共に所定の観光施設アイコン４２Ａを表示し、以後車両が観光エリア内に位置している間この表示状態を維持し、一方、車両が観光エリアに進入していないときに、自動で、ランドマーク６を表示すると共に、観光施設アイコン４２Ａの表示を消し、以後車両が観光エリア外に位置している間この表示状態を維持する構成となっているが、これは、以下の理由による。
【００３１】
すなわち、例えば、ユーザが目的地を持たずにドライブを楽しんでいる場合において、ユーザが観光施設の情報を必要とする蓋然性が低い、つまり、観光施設アイコン４２Ａの表示が特に必要のない、観光エリア外に車両が位置しているときは、地図４上に観光施設アイコン４２Ａを表示しないことによって、地図４の視認性を向上する。一方、観光エリアに車両が進入しているときは、地図４上に観光施設アイコン４２Ａを表示することにより、車両が観光エリアに入ったことをユーザに知らせ、近くに観光施設が存在することをユーザに認識させる。さらに、ランドマーク６の表示を消すことにより、観光施設アイコン４２Ａの表示を目立たせ、地図４の視認性を向上すると共に、ユーザの好奇心を刺激する。これにより、例えばドライブ後に、ユーザが「その観光施設の存在を知っていれば行ってみたかったのに」といった後悔をするのを防止する。
【００３２】
ステップＳＡ３の処理を実行した場合、制御部１０は、後述する経由地設定／詳細情報表示処理（以下、単に「経由地設定処理」という）を実行し（ステップＳＡ５）、処理手順をステップＳＡ１に戻す。
また、ステップＳＡ４の処理を実行した場合、制御部１０は、処理手順をステップＳＡ１に戻す。
【００３３】
次いで、上記観光施設アイコン表示処理、及び、上記経由地設定処理について詳述する。まず観光施設アイコン表示処理について説明する。
図６は、図５のステップＳＡ３において実行される観光施設アイコン表示処理を詳細に示すフローチャートである。なお、制御部１０は、以下の処理を、観光施設データベース３１を参照し、観光施設毎に（つまり、観光施設データベース３１の各レコード毎に）行う。
【００３４】
観光施設アイコン表示処理において、制御部１０は、観光施設データベース３１の所属観光エリアフィールド４３を参照し、当該観光施設の所属観光エリアと、現在車両が進入している所在観光エリアとが一致するか否かを判断する（ステップＳＢ１）。当該観光施設の所属観光エリアと車両の所在観光エリアとが一致しないときは（ステップＳＢ１：ＮＯ）、所在観光エリア内に当該観光施設が存在しないため、制御部１０は、当該観光施設を地図４上に表示しない（ステップＳＢ２）。
観光施設の所属観光エリアと、現在車両の所在観光エリアとが一致するとき（ステップＳＢ１：ＹＥＳ）、制御部１０は、日時カウント部２３により現在の日付を取得すると共に、上記表示時期フィールド４５を参照し、現在日付が当該観光施設の表示時期内にあるか否かを判断する（ステップＳＢ３）。現在日付が表示時期内にないとき（ステップＳＢ３：ＮＯ）、上述したように当該観光施設は現在の時期や季節に訪れる施設として適切ではなく、地図４上に表示する必要がないため、制御部１０は、当該観光施設を地図４上に表示しない（ステップＳＢ２）。これにより、地図４上に無駄な情報が表示されるのを防止し、地図４の視認性が向上する。
【００３５】
一方、現在日付が表示時期内のとき、制御部１０は、施設種別フィールド４４を参照し、当該観光施設のジャンルが「遊ぶ」「見る」「食べる」のいずれかのジャンルであるか否かを判断する（ステップＳＢ４）。これは、観光エリアにおいて、ユーザが訪れたいと思う蓋然性が高い観光施設のジャンルは、上記「遊ぶ」「見る」「食べる」３つのジャンルに属する観光施設であり、これら３つのジャンルの観光施設に係る観光施設アイコン４２Ａのみを地図４上に表示することにより、地図４上に有益な情報のみを表示し、視認性を向上するためである。
当該観光施設のジャンルが「遊ぶ」「見る」「食べる」のいずれのジャンルでもないとき（ステップＳＢ４：ＮＯ）、制御部１０は、当該観光施設を地図４上に表示しない（ステップＳＢ２）。一方、当該観光施設のジャンルが「遊ぶ」「見る」「食べる」のいずれかのジャンルであるとき、制御部１０は、位置フィールド４１及びアイコンフィールド４２を参照し、当該観光施設に係る観光施設アイコン４２Ａを、地図４において当該観光施設が位置する箇所に表示する（ステップＳＡ５）。なお、ここで表示される観光施設アイコン４２Ａは、ユーザによるタッチパネル２４のタッチ操作によって選択可能に表示される。
このように、本実施形態では、所在観光エリア内のすべての観光施設を表示するのではなく、各観光施設の表示時期及び施設種別に基づいて、ユーザにとって有益な観光施設の観光施設アイコン４２Ａのみを表示しているため、地図４の視認性が向上される。
【００３６】
次いで、経由地設定処理について詳述する。
図７は、図５のステップＳＡ５で実行される経由地設定処理を詳細に示すフローチャートである。
まず、制御部１０は、図８に示す、タッチパネル２４における地図４上に表示した観光施設アイコン４２Ａに該当する位置がタッチ操作されたか否か、つまり、ユーザによって観光施設が選択されたか否かを判断する（ステップＳＣ１）（以下、ユーザによって選択された観光施設を「選択観光施設」という）。観光施設が選択されていない場合（ステップＳＣ１：ＮＯ）、制御部１０は、経由設定処理を終了する。
観光施設が選択された場合（ステップＳＣ１：ＹＥＳ）、制御部１０は、その選択観光施設に係る観光施設情報画面６０（図９）を表示する（ステップＳＣ２）。ここで、観光施設情報画面６０とは、選択観光施設に関する情報をユーザに提供するための画面であり、図８に示すように、図８中左方に形成された拡大地図画面６１と、図８中右方に形成された紹介画面６２と、を有している。
【００３７】
拡大地図画面６１は、選択観光施設の位置に関する情報をユーザに提供するための画面であり、図８に示すように、選択観光施設に係る観光施設アイコン４２Ａを画面略中央に配置した状態で、この選択観光施設の周辺の地図が拡大表示される。この拡大地図画面６１には、さらに、距離情報６３が表示される。この距離情報６３とは、選択観光施設と車両の現在位置との間の距離に関する情報であって、ユーザが選択観光施設を訪れるか否かを判断する際に有益な判断材料となるような情報のことであり、図８に示すように、現在位置と選択観光施設との物理的距離を示す情報（図８における「２５ｋｍ」）、及び、現在位置から選択観光施設に到着するまでに要する時間の目安を示す情報（図８における「５６分」）を有する。ユーザは、この拡大地図画面６１及びこの拡大地図画面６１上の距離情報６３を見ることにより、絶えず、選択観光施設の周辺の地図及び選択観光施設までの距離を参照できると共に、これらの情報を選択観光施設を訪れるか否かの判断材料として利用することができる。
【００３８】
一方、紹介画面６２とは、選択観光施設に関する詳細な情報をユーザに提供するための画面であり、図８に示すように、図８中上方において、選択観光施設の名称や通称が表示された施設名画面６４と、この施設名画面６４の下方において、選択観光施設を紹介する写真等の画像が表示された画像画面６５とを有する。制御部１０は、観光施設データベース３１の施設フィールド４０を参照し、施設名画面６４の選択観光施設の名称や通称を表示し、また、画像フィールド４６を参照し、画像画面６５の画像を表示する。
ユーザは、この施設名画面６４及び画像画面６５を参照することにより、選択観光施設のイメージや雰囲気に関する情報を取得し、これらの情報を選択観光施設を訪れるか否かの判断材料として利用する。
上記画像画面６５の下方には、図８に示すように、経由地設定ボタン６６と、詳細情報ボタン６７とが、タッチパネル２４のタッチ操作により選択可能に表示されている。
【００３９】
ステップＳＣ２において観光施設情報画面６０を表示した後、制御部１０は、タッチパネル２４における上記経由地設定ボタン６６に該当する箇所がタッチ操作されたか否かを判断する（ステップＳＣ３）。経由地設定ボタン６６とは、選択観光施設を所定の目的地の経由地に設定する場合（目的地が設定されていないときは、この選択観光施設自体を目的地に設定する場合）に選択されるスイッチであり、図８に示すように、「経由地に設定」の文字が付されている。経由地設定ボタン６６が選択されたとき（ステップＳＣ３：ＹＥＳ）、制御部１０は、地図４上に表示されている観光施設アイコン４２Ａのうち、選択観光施設に係る観光施設アイコン４２Ａ以外の観光施設アイコン４２Ａの表示を消し、さらに、図４のステップＳＡ２において、その表示を消したランドマーク６を再び表示し（ステップＳＣ４）、選択観光施設までの経路案内を行う（ステップＳＣ５）。ここで、観光施設アイコン４２Ａの表示を消し、ランドマーク６を表示するのは、目的地が定まった後は、観光施設アイコン４２Ａの重要性が薄れるため、観光施設アイコン４２Ａの表示を消すことにより、地図７の視認性を向上し、経路案内を速やかに行うと共に、ランドマーク６を経路上の「目印」として利用することにより、選択観光施設までの運転を容易にするためである。
【００４０】
ステップＳＣ３において、経由地設定ボタン６６が選択されていないとき（ステップＳＣ３：ＹＥＳ）、制御部１０は、詳細情報ボタン６７が選択されたか否かを判断する（ステップＳＣ６）。ここで、詳細情報ボタン６７とは、選択観光施設に関するより詳細な情報を表示したいときに選択されるスイッチであり、図８に示すように、「詳細を見る」の文字が付されている。詳細情報ボタン６７が選択されていないとき（ステップＳＣ６：ＮＯ）、制御部１０は、処理手順をステップＳＣ３に戻す。
【００４１】
詳細情報ボタン６７が選択されているとき（ステップＳＣ６：ＹＥＳ）、制御部１０は、選択観光施設に係る詳細情報画面７０（図１０）を表示する（ステップＳＣ７）。ここで、詳細情報画面７０とは、選択観光施設に関するより詳細な情報をユーザに提供するための画面であり、図１０に示すように、図１０中上方において、選択観光施設の名称や通称が表示された施設名画面７１と、この施設名画面７１の右部に表示された戻るボタン７２と、施設名画面７１の左斜め下方において、選択観光施設を紹介する写真等の画像が表示された画像画面７３と、この画像画面７３の下方に表示された経由地設定ボタン７４と、施設名画面７１の右斜め下方において、選択観光施設の詳細情報を表示する詳細情報表示画面７５とを有する。なお、施設名画面７１、画像画面７３、及び、経由地設定ボタン７４は、観光施設情報画面６０におけるものと同等の機能を有している。制御部１０は、観光施設データベース３１の詳細情報フィールド４７を参照することにより、詳細情報表示画面７５に選択観光施設に関するより詳細な情報を表示する。ユーザは、この詳細情報表示画面７５を参照することにより、選択観光施設に関するより詳細な情報を取得し、この情報を選択観光施設を訪れるか否かの判断材料として利用できる。
【００４２】
ステップＳＣ７において詳細情報画面７０を表示した後、制御部１０は、経由地設定ボタン７４が選択されたか否かを判断する（ステップＳＣ８）。経由地設定ボタン７４が選択された場合（ステップＳＣ８：ＹＥＳ）、制御部１０は、上述したステップＳＣ４及びステップＳＣ５に係る処理を実行し、選択観光施設までの経路案内を開始する。
経由地設定ボタン７４が選択されていない場合（ステップＳＣ８：ＮＯ）、制御部１０は、戻るボタン７２が選択されたか否かを判断する（ステップＳＣ９）。戻るボタン７２が選択されていない場合（ステップＳＣ９：ＮＯ）、制御部１０は、処理手順をステップＳＣ６に戻す。戻るボタン７２が選択されている場合（ステップＳＣ９：ＹＥＳ）、制御部１０は、経由地設定処理を終了する。
【００４３】
以上説明したように、本実施の形態によれば、自動施設表示モードにおいて、カーナビゲーション装置１は、車両が観光エリアのいずれかのエリア内に位置しているか否かを絶えず監視し、車両が観光エリア内に位置するときに、自動で、ランドマーク６の表示を消すと共に、所定の観光施設アイコン４２Ａを表示し、車両が観光エリア外に位置するときに、自動で、ランドマーク６を表示すると共に観光施設アイコン４２Ａの表示を消す構成となっている。このため、車両が観光エリア内に位置する場合、観光施設の情報を確実にユーザに提供することができる。さらに、例えば、ユーザが目的地を持たずにドライブを楽しんでいる場合において、観光施設の表示が必要のない観光エリア外に車両が位置しているときは、地図４上に観光施設アイコン４２Ａを表示しないことによって、地図の視認性が向上する。さらに、観光エリアに車両が位置するときは、地図４上に観光施設アイコン４２Ａを表示することにより、車両が観光エリアに入ったことをユーザに認識させると共に、ランドマーク６の表示を消すことにより、観光施設アイコン４２Ａの表示を目立たせ、地図４の視認性を向上すると共に、ユーザの好奇心を刺激する。これにより、例えばドライブ後に、ユーザが「その観光施設の存在を知っていれば行ってみたかったのに」といった後悔をするのを防止する。
また、自動施設表示モードにおいては、観光施設アイコン４２Ａの表示／非常時は、ユーザの操作を介することなく、自動で行われるため、操作性の向上を図ることができる。
【００４４】
また、本実施の形態によれば、自動施設表示モードにおいて、観光施設情報画面６０（図９）及び詳細情報画面７０（図１０）に経由地設定ボタン６６，７４が設けられており、ユーザは、この経由地設定ボタン６６，７４を選択することにより、容易に、選択観光施設を目的地又は経由地に設定することができる。さらに、経由地設定ボタン６６，７４を選択後、経路案内時には、観光施設アイコン４２Ａの表示を消すため、地図７の視認性が向上し、また、ランドマーク６を表示することにより、このランドマーク６を経路上の「目印」として利用することができる。
【００４５】
また、本実施の形態によれば、自動施設モードにおいて、観光施設アイコン４２Ａは、タッチパネル２４のタッチ操作により選択可能に構成されており、このタッチ操作により、観光施設アイコン４２Ａに係る観光施設が選択されたときに拡大地図画面６１と紹介画面６２とを有する観光施設情報画面６０を表示している。このため、ユーザは、この拡大地図画面６１及びこの拡大地図画面６１上の距離情報６３を見ることにより、絶えず、選択観光施設の周辺の地図及び選択観光施設までの距離を参照できると共に、これらの情報を選択観光施設を訪れるか否かの判断材料として利用することができ、ユーザの利便性が向上する。さらに、ユーザは、紹介画面６２における施設名画面６４及び画像画面６５を参照することにより、選択観光施設のイメージや雰囲気に関する情報を取得し、これらの情報を選択観光施設を訪れるか否かの判断材料として利用することができ、ユーザの利便性が向上する。
【００４６】
なお、上述した実施の形態は、あくまでも本発明の一態様を示すものであり、本発明の範囲内で任意に変形および応用が可能である。
例えば、上述した実施形態では、本発明をカーナビゲーション装置に適用した場合を例示したが、これに限らず、携帯電話機やＰＤＡ（Personal Digital Assistant）等のユーザが携帯する携帯型の移動端末にナビゲーション機能を持たせた場合に、当該携帯型の移動端末に本発明を適用しても良い。
また、本実施形態では、自動施設表示モードにおいて、車両が観光エリアに進入したときに、全てのランドマーク６の表示を消す構成となっているが、例えば、ランドマーク６のうちガソリンスタンドに係るランドマーク６は残す等、ユーザにとって利便性の高いランドマーク６を残す構成としてもよい。
また、本実施形態では、観光施設を「遊ぶ」「見る」「食べる」「学ぶ」の４つのジャンルによって分類しているが、ジャンルはこれに限らない。また、施設アイコン表示処理において、「遊ぶ」「見る」「食べる」の３つのジャンルのみ観光施設アイコンの表示対象としているが、これは、表示したい観光施設に応じて適宜設計可能であり、また、ユーザが選択できるように構成してもよい。
【図面の簡単な説明】
【００４７】
【図１】本実施形態に係るカーナビゲーション装置の外観を示す正面図である。
【図２】カーナビゲーション装置の機能的構成を示すブロック図である。
【図３】観光施設データベースの構成を模式的に示す図である。
【図４】観光エリアデータベースの構成を模式的に示す図である。
【図５】自動施設表示モード実行時のフローチャートである。
【図６】観光施設アイコン表示処理のフローチャートである。
【図７】経由地設定／詳細情報表示処理のフローチャートである。
【図８】自動施設表示モードにおいて、観光エリアに移動体が進入したときの画面の表示状態一例を示す図である。
【図９】観光施設情報画面の表示状態の一例を示す図である。
【図１０】詳細情報画面の表示状態の一例を示す図である。
【符号の説明】
【００４８】
１  カーナビゲーション装置
５  現在地マーク
６  ランドマーク
１０  制御部
２４  タッチパネル
３１  観光施設データベース
６０  観光施設情報画面
６１  拡大地図画面
６２  紹介画面
６３  距離情報
６６，７４  経由地設定ボタン
６７  詳細情報ボタン
７０  詳細情報画面
７５  詳細情報表示画面
【図１】
2009025675.tif 000003
【図２】
2009025675.tif 000004
【図３】
2009025675.tif 000005
【図４】
2009025675.tif 000006
【図５】
2009025675.tif 000007
【図６】
2009025675.tif 000008
【図７】
2009025675.tif 000009
【図８】
2009025675.tif 000010
【図９】
2009025675.tif 000011
【図１０】
2009025675.tif 000012